(57)【要約】  【課題】  掃除機本体の小型化が図れる電気掃除機を提供する。  【解決手段】  集塵容器室を形成した掃除機本体と、集塵容器室に着脱自在に装着される集塵容器５０と、集塵容器室の下流側に設けられた電動送風機とを備え、集塵容器５０は、接続口に連通する吸込口５２を有する集塵容器本体５３と、吸込口５２から吸い込まれた塵埃および空気を塵埃と空気とに分離する塵埃分離手段６０と、この塵埃分離手段６０によって分離された塵埃を溜める集塵室部５５と、塵埃分離手段６０で分離した空気を前記電動送風機の吸込開口へ案内する負圧室５７と、集塵容器本体５３の上部外側に設けられるとともにこの集塵容器本体５７を持ち運びするための把手部５４とを有し、把持部５４と対向する集塵容器本体５３の上部に、把手部５４を握る際にその手が入る凹部２００を形成し、この凹部２００を形成する壁２０１ａが、負圧室５７を流れる空気を整流する。【選択図】  図８
2005304734.tif 000002
【特許請求の範囲】
【請求項１】
吸込口体と連通する接続口が形成され且つこの接続口に連通した集塵容器室を内部に形成した掃除機本体と、前記集塵容器室に着脱自在に装着される集塵容器と、前記集塵容器室の下流側に設けられた電動送風機とを備え、前記集塵容器は、前記接続口に連通する吸込口を有する集塵容器本体と、前記吸込口から吸い込まれた塵埃および空気を塵埃と空気とに分離する塵埃分離手段と、この塵埃分離手段によって分離された塵埃を溜める集塵室部と、前記塵埃分離手段で分離した空気を前記電動送風機の吸込開口へ案内する案内風路と、前記集塵容器本体の外側に設けられるとともにこの集塵容器本体を持ち運びするための把持部とを有している電気掃除機において、
前記把持部と対向する集塵容器本体の外壁に、前記把持部を持つ際にその手が入る凹部を形成し、
この凹部を形成する壁が、前記案内風路を流れる空気を整流することを特徴とする電気掃除機。
【請求項２】
前記集塵容器本体の上部に把持部があり、
前記電動送風機の吸込開口が前記吸込口より低い位置にあることを特徴とする請求項１に記載の電気掃除機。
【請求項３】
前記把持部は、掃除機本体の前後方向に直交する幅方向に延びていることを特徴とする請求項１または請求項２に記載の電気掃除機。
【発明の詳細な説明】
【技術分野】
【０００１】
この発明は、掃除機本体に着脱自在に装着される集塵容器を備えた電気掃除機に関する。
【背景技術】
【０００２】
従来から、集塵容器を掃除機本体に着脱自在に設けた電気掃除機が知られている（特許文献１参照）。
【０００３】
かかる電気掃除機は、集塵容器室を内部に形成した掃除機本体と、集塵容器室に着脱自在に装着される集塵容器と、前記集塵容器室の下流側に設けられた電動送風機とを備え、前記集塵容器は、集塵容器本体と、吸込口から吸い込まれた塵埃および空気を塵埃と空気とに分離する塵埃分離手段と、この塵埃分離手段によって分離された塵埃を溜める集塵室部とを有している。
【０００４】
このような電気掃除機にあっては、塵埃を捨てる場合、集塵容器を掃除機本体から取り外し、この集塵容器の底部の開閉蓋を開成して集塵室部の塵埃を捨てるものである。
【０００５】
ところで、集塵容器を掃除機本体から取り外し易くするために、その集塵容器に把手部を設けたものが提案されている。
【特許文献１】特許第３４６０８３２号公報
【発明の開示】
【発明が解決しようとする課題】
【０００６】
しかしながら、このような電気掃除機にあっては、集塵容器に把手部を設けるため、集塵容器を収納する掃除機本体が大型化してしまう問題がある。
【０００７】
この発明の目的は、掃除機本体の小型化が図れる電気掃除機を提供することにある。
【課題を解決するための手段】
【０００８】
上記目的を達成するため、請求項１の発明は、吸込口体と連通する接続口が形成され且つこの接続口に連通した集塵容器室を内部に形成した掃除機本体と、前記集塵容器室に着脱自在に装着される集塵容器と、前記集塵容器室の下流側に設けられた電動送風機とを備え、前記集塵容器は、前記接続口に連通する吸込口を有する集塵容器本体と、前記吸込口から吸い込まれた塵埃および空気を塵埃と空気とに分離する塵埃分離手段と、この塵埃分離手段によって分離された塵埃を溜める集塵室部と、前記塵埃分離手段で分離した空気を前記電動送風機の吸込開口へ案内する案内風路と、前記集塵容器本体の外側に設けられるとともにこの集塵容器本体を持ち運びするための把持部とを有している電気掃除機において、
前記把持部と対向する集塵容器本体の外壁に、前記把持部を持つ際にその手が入る凹部を形成し、
この凹部を形成する壁が、前記案内風路を流れる空気を整流することを特徴とする。
【発明の効果】
【０００９】
この発明によれば、掃除機本体の小型化が図れるとともに、集塵容器本体の風路抵抗を小さくすることができる。
【発明を実施するための最良の形態】
【００１０】
以下、この発明に係る電気掃除機の実施例を図面に基づいて説明する。
【実施例】
【００１１】
図１に示す電気掃除機１０は、掃除機本体１１と、この掃除機本体１１の接続口１０Ａに一端が着脱自在に接続されその他端には手元操作管１３が設けられている集塵ホース１２と、手元操作管１３に着脱自在に接続した延長管１４と、延長管１４の先端部に着脱自在に接続された吸込口体１５とを備えている。手元操作管１３には操作部１３Ａが設けられており、この操作部１３Ａには操作スイッチ１３ａが設けられている。
【００１２】
吸込口体１５には、その底面に塵埃を吸引する図示しない吸込開口（塵埃吸込口）を形成した吸込室（図示せず）が形成されて、この吸込室は延長管１４および集塵ホース１２を介して掃除機本体１１に設けた集塵容器５０（図２参照）の吸込口５２に連通している。
【００１３】
電気掃除機本体１１は、図２に示すように、本体ケース２０と、本体ケース２０内に着脱自在に装着される集塵容器５０と、後部が本体ケース２０にヒンジ結合されて前側が上下方向に開閉可能となっている蓋体４０とを備えている。
【００１４】
本体ケース２０の前側には、集塵容器５０が着脱自在に装着される集塵容器室２１が形成され、この集塵容器室２１の上部開口２２が上記蓋体４０によって密閉されている。また、本体ケース２０の後側の下部には電動送風機２３が設けられており、この電動送風機２３の吸込開口２４が集塵容器５０（図５参照）の後部開口５１（図８参照）に接続風路Ｇを介して連通している。
【００１５】
接続風路Ｇの前面には格子Ｇａが設けられており、接続風路Ｇの後壁部Ｇｂの下部には接続開口Ｇｂｃが形成され、この接続開口Ｇｂｃに電動送風機２３の吸込開口２４が接続されている。すなわち、掃除機本体１１の接続口１０Ａの高さ位置より低い位置に電動送風機２３が配置されている。
【００１６】
本体ケース２０には多数の排気孔２５が形成され、また、後輪２６にも多数の排気孔２７が形成されている。そして、電動送風機２３が吸込開口２４から吸引して図示しない排出口から排出した空気がそれら排気孔２５,２７から排気されるようになっている。
【００１７】
そして、集塵容器５０は、吸込口体１５の吸込開口から電動送風機２３の吸込開口２４までの吸込風路の途中に着脱自在に装着されている。
【００１８】
蓋体４０には、図３に示すように孔４１が形成され、この孔４１にボタン４２が設けられている。このボタン４２は、図示しないスプリングによって上方に付勢されて孔４１を閉塞しており、このボタン４２がスプリングの付勢力に抗して図４に示すように下方に押されると、孔４１が開成して集塵容器室２１が外気に連通される。
【００１９】
この集塵容器室２１は、集塵容器５０が装着されていないときには接続風路Ｇを介して電動送風機２３の吸込開口２４に連通するようになっている。
【００２０】
蓋体４０の孔４１の下方には上下に延びたガイド筒４３が形成され、ボタン４１の下面に設けた軸４４がそのガイド筒４３のガイド孔４３Ａに上下動自在に挿入されていて、ボタン４２が上下動できるようになっている。また、ボタン４２の下面には突起４５が形成され、図５に示すように突起４５が後述するレバー８５に当接しており、ボタン４２を押し下げるとレバー８５が押し下げれられるようになっている。
【００２１】
集塵容器５０は、図６ないし図８に示すように、前側（図８において左側）に吸込口５２を有し後側に後部開口５１を有するフィルタ装着部５８を形成した集塵容器本体５３と、この集塵容器本体５３の上部に設けた把持部５４と、この集塵容器本体５３の両側方に設けた一対の連動機構７０,７０（図１０参照）と、集塵容器本体５３の底部の開口（排出口）５３Ｄに開閉可能に設けた底蓋５９を開閉する開閉機構９０と、各連動機構７０および開閉機構９０を覆うカバーケース７１,７１と、把持部５４の上方に上下動可能に配置されたブリッジ状のレバー８５等とを有している。把持部５４は、掃除機本体１１の幅方向、すなわち掃除機本体１１の前後方向と直交する方向に延びている。
【００２２】
集塵容器本体５３の上部、すなわち外壁には把持部５４と対向した位置に凹部２００が形成され、この凹部２００の前側には、後方（図７において右方向）へいくに従って凹部２００の深さが深くなる傾斜面２０１が形成され、把持部５４を握る際にその凹部２００に手が差し入れ易いようになっている。
【００２３】
フィルタ装着部５８は、断面が四角形状の筒状に形成され、このフィルタ装着部５８内には図９に示すプリーツフィルタ体Ｐが着脱自在に装着されている。集塵容器本体５３の吸込口５２は図２に示すように掃除機本体１０の接続口１０Ａに連通している。
【００２４】
集塵容器本体５３は、吸込口５２から吸い込まれた塵埃および空気を塵埃と空気とに分離する塵埃分離部（塵埃分離手段）６０と、この塵埃分離部６０によって分離された塵埃を溜めるとともに塵埃分離部６０の下側に形成された集塵室部５５と、塵埃分離部６０で分離された塵埃を集塵室部５５へ案内するためのガイド風路部５６と、集塵室部５５の上に一体形成された負圧室５７等とを備えている。
【００２５】
塵埃分離部６０は、複数の開口６１Ａを形成した枠体６１と、各開口６１Ａにに取り付けられたネットフィルタＦ１とを有している。このネットフィルタＦ１で囲まれる内側がラッパ状の風路６２となっている。この風路６２は前後方向に直線上に延びている。
【００２６】
枠体６１は、吸込口５２に対向するとともに吸込口５２の径より大きい前端開口６１ａと、吸込口５２の径とほぼ同一の径の後端開口６１ｂとを有している。
【００２７】
ガイド風路部５６は、枠体６２の後端開口６１ｂと、集塵室部５５の天井壁５５Ａの後部に設けた導入開口５５ｄとを連通している。
【００２８】
負圧室５７は後部開口５１に連通し、この負圧室５７内に塵埃分離部６０およびガイド風路５６が形成されている。そして、塵埃分離部６０の風路６２は枠体６１の各開口６１Ａを介して負圧室５７に連通している。
【００２９】
そして、上記凹部２００の傾斜面２０１を形成する傾斜壁（外壁）２０１ａは、塵埃分離部６０の上部の開口６１Ａから負圧室５７へ流れる空気を矢印Ｑ１で示すように、斜め下方に向けて流すように整流するようになっており、負圧室５７がその空気を集塵容器５３の後部開口５１および接続風路Ｇを介して電動送風機２３の吸込開口２４へ案内する案内風路となっている。
【００３０】
集塵室部５５の後部壁５５Ｈには開口５５Ｈａが形成され、この開口５５Ｈａを介して集塵室部５５内と負圧室５７とが連通し、開口５５ＨａにはフィルタＦ２が取り付けられている。
【００３１】
集塵室部５５の天井壁５５Ａの下には、上下動自在に押出板（圧縮部材）１００が配置されており、この押出板１００にはガイド風路部５６の内側に沿うように配置されるドーム状のガイド壁部１０１が図１０に示すように一体形成されている。
【００３２】
また、押出板１００には、塵埃分離部６０の後端開口６１ｂに対向する開口１０２と、集塵室部５５の導入開口５５ｄに対向する開口１０３が形成されている。押出板１００の後縁部にはフィルタＦ２の上流側となるフィルタ面Ｆ２ａを摺接するブレード１１０が取り付けられている。さらに、押出板１００の両側部には、上下に延びたロッド１０４,１０４が装着されており、このロッド１０４,１０４から押出板１００は取り外せるようになっている。
【００３３】
ロッド１０４,１０４は、図１１に示すように、集塵室部５５の天井壁５５Ａの両端部に設けた孔５５ｆ,５５ｆを上下動自在に貫装されている。
【００３４】
ロッド１０４,１０４の上端には上下方向に延びたラック部材１０５,１０５が設けられており、このラック部材１０５,１０５にラック１０６,１０６が形成されている。
【００３５】
一方、レバー８５の両端部には、図１０に示すように、下方に延びるとともにカバーケース７１,７１（図６参照）に設けた孔７１Ａ,７１Ａに上下動自在に挿入された脚部８６,８６が設けられており、この脚部８６,８６にはラック７２,７２が形成されている。また、脚部８６,８６の下部には下方に突出した軸８７,８７が設けられており、この軸８７,８７の上部にはフランジ８７Ｆ,８７Ｆが形成されている。
【００３６】
軸８７,８７には図７に示すようにスプリングＳ１,Ｓ１が装着され、スプリングＳ１,Ｓ１の上部がフランジ８７Ｆ,８７Ｆに係止され、スプリングＳ１,Ｓ１の下部が集塵室部５５の天井壁５５Ａの上面に係止されている。そして、このスプリングＳ１,Ｓ１の付勢力によってレバー８５は上方に付勢され、レバー８５の両端部に設けた突部８５Ａ,８５Ａがカバーケース７１,７１の下面に当接することにより、レバー８５が所定量以上に上方に移動しないように規制されている。
【００３７】
連動機構７０は、図１０に示すように、レバー８５の脚部８６に設けたラック７２と、このラック７２に噛合した扇状のギア７３と、図１２に示すようにギア７３の軸７４に取り付けられている扇状のギア７５と、このギア７５に噛合したラック１０６等とから構成されている。
【００３８】
ギア７３はカバーケース７１に回動自在に装着されており、ギア７５の径はギア７３の径より大きく設定されている。
【００３９】
そして、レバー８５をスプリングＳ１,Ｓ１の付勢力に抗して下方に押し下げると、ギア７３,７３が反時計回り（図９において）に回動し、このギア７３,７３とともに一体にギア７５,７５が反時計回りに回動する。ギア７５,７５の反時計回りの回動により、ラック１０６,１０６がロッド１０４,１０４とともに下方に移動する。
【００４０】
ロッド１０４,１０４は、ギア７５の径がギア７３の径より大きく設定されていることにより、レバー８５の押し下げ量より大きく下方へ移動する。
【００４１】
そして、ロッド１０４,１０４の下方への移動により、押出板１００は下方に押し下げられることになる。
【００４２】
このように、レバー８５を下方に押し下げると、連動機構７０,７０により押出板１００は下方に押し下げられることになる。
【００４３】
開閉機構９０は、図７および図１３に示すように、連動機構７０の近傍に配置された上下動可能なアーム９１と、このアーム９１の上下動によって軸９２回りに回動動作するリンク部材９３等とから構成されている。
【００４４】
アーム９１は、カバーケース７１の内側に上下動自在に保持されており、アーム９１の上部９１Ａが図６に示すようにカバーケース７１に設けた孔７１Ｂを貫通して上方に突出している。そして、その上部９１Ａが底蓋５９を開閉操作する操作部となっている。アーム９１は図示しないスプリングにより上方に付勢され、アーム９１の操作部９１Ａが図６に示すようにカバーケース７１から常時突出するようになっている。
【００４５】
リンク部材９３は、集塵室部５５の側壁部５５Ｓに設けた軸９２に軸支されている。図１４に示すように、リンク部材９３の下部にはフック９４が形成され、このフック９４が底蓋５９に設けた係止部（図示せず）に係止することにより底蓋５９が開成しないようになっている。
【００４６】
そして、アーム９１の操作部９１Ａを押してアーム９１がスプリングの付勢力に抗して下方に移動すると、図１４に示すようにリンク部材９３が時計回りに回動して、リンク部材９３のフック９４が底蓋５９の係止部から外れ、底蓋５９が開成するようになっている。
【００４７】
底蓋５９は、図６に示すように、左側方にある軸線Ｊ１を中心にして矢印Ｐ１方向に回動することにより開成する。
【００４８】
このように、アーム９１の操作部９１Ａを押すと、開閉機構９０により底蓋５９が開成することになる。
［動  作］
次に、上記のように構成される電気掃除機の動作について説明する。
【００４９】
先ず、図２に示すように、集塵容器５０を掃除機本体１１の集塵容器室２１に装着し、図１に示すように集塵ホース１２を掃除機本体１１の接続口１０Ａに接続するとともに手元操作管１３に延長管１４を介して吸込口体１５を接続する。
【００５０】
そして、手元操作管１３の操作部１３Ａのスイッチ１３ａを操作すると電動送風機２３が駆動される。この電動送風機２３の駆動により、電動送風機２３の吸込開口２４から空気が吸い込まれて、接続風路Ｇを介して集塵容器５０の後部開口５１に作用し、さらにプリーツフィルタ体Ｐを介して集塵容器５０の負圧室５７が負圧となる。
【００５１】
この負圧が集塵室部５５のフィルタＦ２を介して集塵室部５５内や塵埃分離部６０のネットフィルタＦ１を介して塵埃分離６０の風路６２に作用し、この負圧が集塵容器５０の吸込口５２を介して集塵ホース１２,延長管１４および吸込口体１５に作用し、吸込口体１５から空気とともに塵埃が吸引されていく。
【００５２】
この吸引された塵埃および空気が延長管１４および集塵ホース１２を介して集塵容器５０の吸込口５２へ吸引されていく。この吸込口５２へ吸引された塵埃および空気は塵埃分離部６０の風路６２に吸引されていく。
【００５３】
風路６２に吸引された空気の一部は塵埃分離部６０のネットフィルタＦ１を介して集塵容器５０の負圧室５７に吸引され、さらに集塵容器５０の後部開口５１のプリーツフィルタ体Ｐおよび接続風路Ｇを介して電動送風機２３の吸込開口２４へ吸引されていく。
【００５４】
この際、塵埃分離部６０の上部の開口６１Ａから、図１９および図２０の矢印で示すように負圧室５７のガイド風路部５６の両側を通って集塵容器５０の後部開口５１へ向かう空気は、図８の矢印Ｑ１に示すように、凹部２００の傾斜壁２０１ａにより整流されて、電動送風機２３の吸込開口２４（図５参照）があるプリーツフィルタＰの下部に向けて流されるので、負圧室５７の風路抵抗は小さくなる。
【００５５】
一方、塵埃分離部６０の風路６２に吸引された塵埃は、空気よりも質量があることにより風路６２を直進していき、押出板１００のガイド壁部１０１に案内されて集塵室部５５内へ導入されていく。すなわち、塵埃分離部６０により空気と塵埃が分離され、この分離された塵埃は集塵室部５５へ集塵されていくことになる。
【００５６】
また、風路６２を直進してきた空気は押出板１００のガイド壁部１０１に案内されて集塵室部５５内へ導入される。この集塵室部５５内へ導入された空気は集塵室部５５の後部壁５５ＨのフィルタＦ２を通って集塵容器５０の負圧室５７に吸引され、さらに集塵容器５０の後部開口５１のプリーツフィルタ体Ｐおよび接続風路Ｇを介して電動送風機２３の吸込開口２４へ吸引されていく。
【００５７】
掃除が終了したら、操作部１３Ａのスイッチ１３ａを操作して電動送風機２３の駆動を停止せる。そして、掃除機本体１１のボタン４２を下方に押す。このボタン４２が下方に押されると、図１５ないし図１７に示すように、レバー８５がスプリングＳ１,Ｓ１の付勢力に抗して下方に押し下げれる。
【００５８】
このレバー８５が下方に押し下げられると、連動機構７０により押出板１００が下方に押し下げられていく。
【００５９】
この押出板１００が下方に押し下げられる際に、押出板１００のブレード１１０がフィルタＦ２のフィルタ面Ｆ２ａを摺接していき、そのフィルタ面Ｆ２ａに付着した塵埃を掻き落としていく。また、押出板１００の押し下げにより集塵室部５５に溜まった塵埃が圧縮されていく。このため、集塵室部５５に塵埃を多く溜めることができる。
【００６０】
ボタン４２から手を離せば、スプリングＳ１,Ｓ１の付勢力によってレバー８５が元の位置へ復帰し、このレバー８５に連動して押出板１００やボタン４２が図５に示す元の位置へ戻る。
【００６１】
次に、集塵室部５５に溜められた塵埃を捨てる場合について説明する。
【００６２】
先ず、掃除機本体１１の蓋体４０を開け、集塵容器５０の凹部２００に手を入れて把持部５４を持って、集塵容器５０を取り出す。そして、図６に示す操作部９１Ａを押すと、開閉機構９０により底蓋５９が軸線Ｊ１を中心にして矢印Ｐ１方向に回動して開成する。
【００６３】
次いで、把持部５４とともにレバー８５を握り締めると、図１８に示すようにレバー８５が把持部５４に向けて押し下げられていき、このレバー８５の押し下げにより、図１０に示すように、連動機構７０によって押出板１００が塵埃を排出するのに十分な位置まで押し下げられていく。これにより、集塵室部５５内の塵埃が集塵容器５０の底部開口から下方へ押し出されていくので、ゴミ捨ては大変し易いものとなる。
【００６４】
集塵容器５０を掃除機本体１１の集塵容器室２１に装着し忘れた場合、電動送風機２３の吸込開口２４と掃除機本体１１の集塵容器室２１とがガイド風路Ｇを介して直接連通される。そして、手元操作管１３の操作部１３Ａのスイッチ１３ａを操作すると、電動送風機２３が駆動されて集塵容器室２１が負圧となる。
【００６５】
この負圧により、図４に示すように蓋体４０のボタン４２がスプリング（図示せず）の付勢力に抗して下方に押し下げられ、蓋体４０の孔４１が開成する。これにより、外気が孔４１を通って掃除機本体１１の集塵容器室２１に導入され、吸込口体１５からほとんど塵埃は吸引されないことになる。
【００６６】
このため、吸込口体１５から吸引される塵埃が直接電動送風機２３へ吸引されてしまう不具合を防止することができる。
【００６７】
また、押出板１００はロッド１０４,１０４から取り外すことができるので、押出板１００の上に入り込んだゴミなどを掃除することができる。
【００６８】
ところで、集塵容器５３の上部に、把持部５４を握り易いように凹部２００を設けたものであるから、把持部５４を設ける位置（集塵容器本体５３の上面５３Ｍ（図６参照）から把持部５４までの高さ）を低くすることができる。このため、集塵容器室２１の高さを高くしたり、蓋体４０の高さを高くしたりする必要がない。このため、掃除機本体１１の小型化を図ることができる。
【００６９】
また、電動送風機２３を掃除機本体１１の下部に設けたものであるから、掃除機本体１１の安定化を図ることができる。また、電動送風機２３を掃除機本体１１の下部に設けても、掃除機本体１１の接続口１０Ａが電動送風機２３の吸込開口２４の位置より高い位置にあるので、掃除中に掃除機本体１１の前側が上に持ち上がってしまうことがない。
【００７０】
さらに、掃除機本体１１の接続口１０Ａと電動送風機２３の吸込開口２４の高さ位置がずれていても、集塵容器５０の凹部２００の傾斜壁２０１ａによって整流されることによって、掃除機本体１１の風路抵抗が大きくなってしまうことを防止することができる。
【図面の簡単な説明】
【００７１】
【図１】この発明に係る電機掃除機の外観を示した斜視図である。
【図２】図１に示す掃除機本体の構成を示した部分断面図である。
【図３】集塵容器を取り外した掃除機本体の一部を示した断面図である。
【図４】ボタンを押したときの状態を示した説明図である。
【図５】集塵容器を装着した掃除機本体の一部を示した断面図である。
【図６】集塵容器を示した斜視図である。
【図７】カバーケースを外した集塵容器を示した斜視図である。
【図８】集塵容器の構成を示した断面図である。
【図９】集塵容器の収容部を示した部分断面図である。
【図１０】連動機構の構成を示した斜視図である。
【図１１】集塵容器の横断面図である。
【図１２】連動機構の構成の一部を示した斜視図である。
【図１３】集塵容器の一部を省略して連動機構を示した説明図である。
【図１４】開閉機構を示した説明図である。
【図１５】ボタンを押した状態を示した説明図である。
【図１６】レバーが押し下げられた状態を示した説明図である。
【図１７】レバーが押し下げられて押出板が下方に移動した状態を示した説明図である。
【図１８】押出板が下方に移動した状態を示した集塵容器の縦断面図である。
【図１９】集塵容器の上部の一部を削除した平面図である。
【図２０】集塵容器を示した背面図である。
【符号の説明】
【００７２】
５０          集塵容器
５３          集塵容器本体
５４          把持部
５５          集塵室部
５７          負圧室（案内風路）
６０          塵埃分離手段
２００        凹部
２０１ａ      傾斜壁（壁）
【図１】
2005304734.tif 000003
【図２】
2005304734.tif 000004
【図３】
2005304734.tif 000005
【図４】
2005304734.tif 000006
【図５】
2005304734.tif 000007
【図６】
2005304734.tif 000008
【図７】
2005304734.tif 000009
【図８】
2005304734.tif 000010
【図９】
2005304734.tif 000011
【図１０】
2005304734.tif 000012
【図１１】
2005304734.tif 000013
【図１２】
2005304734.tif 000014
【図１３】
2005304734.tif 000015
【図１４】
2005304734.tif 000016
【図１５】
2005304734.tif 000017
【図１６】
2005304734.tif 000018
【図１７】
2005304734.tif 000019
【図１８】
2005304734.tif 000020
【図１９】
2005304734.tif 000021
【図２０】
2005304734.tif 000022